【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
システムであって、
マスター・デバイスであって、
ネットワーク・インターフェースと、
クライアントのグループにおけるクライアントと相互作用するためのマスター制御コンポーネントと、
を含む、マスター・デバイス、
を含み、前記マスター制御コンポーネントが、
第１のクライアントから、該第１のクライアントにとって利用可能な第１のチャネル・ラインアップの識別を、記録目的のため前記グループのクライアントにおける他のクライアントへ提供するために受け、
第２のクライアントから、該第２のクライアントにとって利用可能な第２のチャンネル・ラインアップの識別を、記録目的のため前記グループのクライアントにおける他のクライアントへ提供するために受け、前記第２のクライアントにとって利用可能な前記第２のチャネル・ラインアップが、前記第１のクライアントにとって利用可能な前記第１のチャネル・ラインアップとは異なり、
前記グループのクライアントの全記録能力を示す集合チャネル・ラインアップを、前記マスター制御コンポーネントにおいて生成し、前記集合チャネル・ラインアップが、前記第１と第２のチャネル・ラインアップを含み、
前記ネットワーク・インターフェースを介して受ける記録要求の集合を反映したマスター記録スケジュールを作成し、前記記録要求の集合が、前記グループのクライアントにおける前記他のクライアントの内の１つのクライアントからの少なくとも１つの記録要求を含み、
予定されている番組を記録するために、前記少なくとも１つの記録要求に基づいて、前記第１と第２のチャネル・ラインアップのうちの適切な１つを選択し、
前記予定されている番組を記録するために、前記ネットワーク・インターフェースを介して、前記第１と第２のチャネル・ラインアップのうちの前記適切な１つを提供する前記第１と第２のクライアントのうちの前記１つにコマンドを発行する、
ように構成された、システム。
【請求項２】
請求項１記載のシステムであって、前記第１と第２のクライアントの各々は、該第１と第２のクライアントをクライアントとして動作するように構成するためのクライアント制御コンポーネントを含み、該クライアント・コンポーネントが、前記マスター・デバイスに、前記第１と第２のクライアントにおける１つ以上のチューナーについての情報を前記ネットワーク・インターフェースを介して伝えるように構成された、システム。
【請求項３】
請求項２記載のシステムにおいて、前記クライアント制御コンポーネントが、更に、追加の情報を前記マスター・デバイスに伝えるように構成され、前記追加の情報が、前記グループのクライアントにおける１つ以上のクライアントに対し生の表示能力を提供するため、前記第１と第２のクライアントの各々の能力を含む、システム。
【請求項４】
請求項２記載のシステムにおいて、
前記集合チャネル・ラインアップが、更に、番組の１つ以上のソースの識別と、前記番組の１つ以上のソースにアクセスすることができるチャネルを含み、
前記マスター制御コンポーネントが、更に、前記集合チャネル・ラインアップにおける１つ以上のチャネルにアクセスするために前記グループのクライアント内において提供される１つ以上のチューナーの識別を、前記集合チャネル・ラインアップと共に格納するように構成された、システム。
【請求項５】
請求項４記載のシステムにおいて、前記マスター制御コンポーネントが、更に、前記集合チャネル・ラインアップにおける情報に少なくとも部分的に基づいて前記予定された番組を記録するために、前記１つ以上のチューナーからチューナーを選択するように構成された、システム。
【請求項６】
請求項５記載のシステムにおいて、前記ネットワーク・インターフェースが、家庭用コンピューター・ネットワークへのインターフェースを含む、システム。
【請求項７】
請求項６記載のシステムにおいて、前記第１のクライアントが、ラップトップ・コンピューターとデスクトップ・コンピューターとの内の１つであり、前記第２のクライアントがディジタル・ビデオ・レコーダーである、システム。
【請求項８】
方法であって、
マスター・デバイスにおいて、
ネットワークに結合されたグループのクライアントにおいてチューナーのプールを識別するチューナー情報を作成するステップであって、該作成が、前記グループにおける前記クライアントの各々から情報を受けることに少なくとも部分的に基づき、前記情報が、記録目的のため前記グループのクライアントにおける他のクライアントへ提供するため第１のクライアントにとって利用可能な第１のチャネル・ラインアップと、記録目的のため前記グループのクライアントにおける他のクライアントへ提供するため前記第２のクライアントにとって利用可能な第２のチャネル・ラインアップとを含み、前記第２のクライアントにとって利用可能な前記第２のチャネル・ラインアップが、前記第１のクライアントにとって利用可能な前記第１のチャネル・ラインアップとは異なる、ステップと、
前記チューナー情報を使用して、前記グループのクライアントの集合記録能力を示すマスター・ラインアップを作成し、前記マスター・ラインアップが、前記第１と第２のチャネル・ラインアップを含む、ステップと、
前記グループのクライアントにおける１つ以上のクライアントから受けた記録要求に基づいて、マスター記録スケジュールを維持するステップであって、前記マルター記録スケジュールが、前記グループのクライアントにおける前記他のクライアントの内の１つのクライアントからの少なくとも１つの記録要求を含む、ステップと、
予定されている番組を記録するために、前記少なくとも１つの記録要求に基づいて、前記第１と第２のチャネル・ラインアップのうちの適切な１つを選択するステップと、
前記予定されている番組を記録するために、前記第１と第２のチャネル・ラインアップのうちの前記適切な１つを提供している前記第１と第２のクライアントのうちの１つに記録コマンドを送るステップと、
を含む、方法。
【請求項９】
請求項８記載の方法において、
前記マスター記録スケジュール内の番組がプレミアム・チャネルにおいて利用可能であるとき、前記チューナーのプールののうち前記プレミアム・チャネルを記録することができる利用可能なすべてのチューナーに、前記記録コマンドを送る、方法。
【請求項１０】
コンピューター実行可能な命令を含む少なくとも１つのコンピューター記憶媒体であって、前記命令がコンピューター化デバイスで実行されると方法を実行し、該方法が、
テレビジョン情報を共有するように構成されたグループのデバイスの内のマスター・デバイスにおいて、前記グループのデバイスに属する第１のクライアント・デバイスの第１の記録能力と、第２のクライアント・デバイスの第２の記録能力とを受けるステップであって、前記第１の記録能力が前記第２の記録能力とは異なった、ステップと、
前記グループのクライアント・デバイスの全記録能力を示す集合チャネル・ラインアップを生成するステップであって、前記生成が、前記第１の記録能力と前記第２の記録能力とを受けることに少なくとも部分的に基づく、ステップと、
前記マスター・デバイスにおいて、記録のため番組をスケジュールするために第３のクライアント・デバイスからの要求を受けるステップと、
前記第３のクライアントからの前記要求に基づいて、前記第１の記録能力と前記第２の記録能力との内の適切な１つを選択するステップと、
前記マスター・デバイスから、前記第１の記録能力と前記第２の記録能力との内の適切な１つを有する前記第１のクライアント・デバイスと前記第２のクライアント・デバイスとの内の１つ内のチューナーを使用して番組を記録する命令を送るステップと、
を含む、少なくとも１つのコンピューター記憶媒体。